(57)【特許請求の範囲】
【請求項１】
加工しようとする枚葉紙の寸法に合わせて側方引き寄せ装置（３）を調整でき、該側方引き寄せ装置を移動させる主軸（２８、３０）を有する、枚葉輪転印刷機の紙載せ板（１）上で枚葉紙を横方向にそろえる側方引き寄せ装置において、
前記主軸（２８、３０）が前記側方引き寄せ装置（３）のケーシング（１６）に対して非接触に支持され、
前記主軸（２８、３０）が、前記側方引き寄せ装置（３）のケーシング（１６）と係合している機械的伝動手段（４８、４９）を有し、
前記側方引き寄せ装置（３）が案内部材（７、１２）に前記主軸（２８、３０）の方向に移動可能に支持されていることを特徴とする側方引き寄せ装置。
【請求項２】
前記主軸（２８、３０）上に配置された伝動手段（４８、４９）と、前記側方引き寄せ装置（３）の突起部（５６）とに支えられている、位置調節方向に作用するバネ部材（５２）が設けられている、請求項１に記載の側方引き寄せ装置。
【請求項３】
前記主軸（２８、３０）が軸受部（２９、４４；３９、２９）内に回転および移動できるように支持されている、請求項１または２に記載の側方引き寄せ装置。
【請求項４】
前記軸受部（４４）が、前記主軸（２８、３０）に軸方向に作用するバネ部材（４７）を有する、請求項３に記載の側方引き寄せ装置。
【発明の詳細な説明】
【０００１】
【発明の属する技術分野】
本発明は、側方引き寄せ装置の配置構成および支持に関するものである。
【０００２】
【従来の技術】
加工しようとする枚葉紙を枚葉紙搬送方向に対して横断方向に横当てで整える側方引き寄せ装置を、枚葉紙輪転印刷機の紙載せ板に配置することが一般に知られている。側方引き寄せ装置は、一般にこの横当てを付けているので、側方引き寄せ装置は横当てと一緒に、加工しようとする枚葉紙寸法に合わせて調整する必要がある。
【０００３】
ドイツ特許公開公報第３０４４８２６Ａ１号には、底板上に移動可能に配置された側方引き寄せ装置が記載されている。この装置では、側方引き寄せ装置と固く連結した主軸によって移動が開始される。駆動可能なナットが主軸のねじと駆動連結するように配置されていて、側方引き寄せ装置が主軸と一緒に枚葉紙搬送方向に対して横断可能に移動できるようになっている。
【０００４】
ドイツ特許公開公報第３０４４８２６Ａ１号に従う装置は、製造誤差のために、主軸、主軸軸受、側方引き寄せ装置およびその底板上での支持に、調整上の難点を生じるという欠点がある。
【０００５】
さらに、側方引き寄せ装置を所望の調節位置で拘束するために、追加の固定手段を設けなければならない。
【０００６】
【発明が解決しようとする課題】
本発明の目的は、枚葉紙寸法に合わせて調整可能な、より高精度の側方引き寄せ装置を提供することである。
【０００７】
【課題を解決するための手段】
本発明において、上記の目的は請求項１の特徴部に記載した特徴によって解決される。
【０００８】
本発明の装置により、側方引き寄せ装置の正確な位置決めが簡単になる。主軸などによる側方引き寄せ装置の搬送の機能と、横梁などによる側方引き寄せ装置の案内の機能を切り離すことによって、たとえば主軸またはその軸受の製造誤差が側方引き寄せ装置の案内手段または支持手段に不利な影響を与えることが防止される。
【０００９】
発生する軸受の遊びを、あらかじめ設けたばね部材によって排除することが可能である。搬送手段と案内部材を構造的に分離することにより、側方引き寄せ装置を簡単に組み立てたり分解したりできる。なぜならば、側方引き寄せ装置は、主軸などの搬送手段を分解することなしに、取り付けたり取り外したりできるからである。
【００１０】
側方引き寄せ装置を「３点支持」による静力学的に決められた支持によって、特に定常状態において側方引き寄せ装置の安定性が増す。
【００１１】
滑り軸受による案内において発生して、位置決めの際に側方引き寄せ装置がはさまったり傾いたりするようになり得る、いわゆる「スティック・スリップ現象」が、ころ軸受による案内により回避される。
【００１２】
本発明の対象では、追加の締め付け手段で側方引き寄せ装置を所望の位置に拘束する必要のない点が好都合である。なぜならば、案内部材と軸受との間の遊びはあらかじめ設けたばねによって排除されるからである。
【００１４】
本発明の別の構成において、駆動軸から側方引き寄せ装置にトルクを動力伝達するための連結手段をキーとして、ほぼトルクのみが伝達されるように構成するようになっている。この方策により、製造誤差によって発生する半径方向の力はほぼ完全に除かれる。
【００１５】
別の特に好適な構成は、側方引き寄せ装置に対する案内部材を一体的に製造することである。つまり、台板を保持するための横梁とガイドは一体的に作られるのである。
【００１６】
【発明の実施の形態】
以下に、本発明の実施例を図面に基づいて詳細に説明する。
【００１７】
輪転印刷機に対する紙載せ板１は、搬送くわえづめまたは前当て２の区域に、枚葉紙搬送方向に対して横断方向に可動な側方引き寄せ装置３を両側に１つずつ有している。紙載せ板１の下方では、互いに平行に配置された横梁４、６が設けられている。これらは紙載せ板１の下方で、横断方向に一方の側から他方の側に延びている。横梁４、６は、少なくとも側方引き寄せ装置３の区域では一体的に製造されており、側壁５、１０とともにケーシング１５を形成している。後側横梁６は案内溝７と、傾いた支持面８を有している。前側横梁４は、横桟１１と一緒に案内溝１２を形成している段差部９を有する。側方引き寄せ装置３は、ほぼ水平に配置された２つのローラ１３、１４を有する。これらは、側方引き寄せ装置３のケーシング１６の下側端部に、それぞれ１本のボルト１７で回転可能に支持されている。ローラ１３、１４のレース１８は、案内溝１２と係合している。
【００１８】
ケーシング１６の後側端部は、水平に配置された支持アーム１９と固く連結している。支持アーム１９の一方の端部は、一時的な支持のために案内溝７に案内される。
【００１９】
支持アーム１９の上方では、ケーシング１６が回転可能に支持された別のローラ２１を有する。ここでは、ローラ２１のレース２２は支持面８と回転接触している。ローラ２１は、ボルト２３によって板ばね２６の湾曲部２４に支持されており、レース２２は板ばね２６内のスリット２７を貫通している。板ばね２６のばね力は、案内溝１２におけるローラ１３、１４と、支持面８におけるローラ２１および案内溝７における支持アーム１９との遊びが排除されるように設計されている。
【００２０】
側方引き寄せ装置３を枚葉紙の寸法に合わせて調整するために、それぞれ１つの主軸２８、３０が設けられている。主軸２８、３０はそれぞれ軸端部によって、側壁５、１０、および共通軸受部２９のほぼ中央に、回転可能で、かつ小さい行程だけ移動できるように支持されている。共通軸心３１上に配置された主軸２８、３０は、これらと固く連結した歯車３２を１つずつ有する。歯車３２は、それぞれ歯車装置３３を介して、各々１つの駆動モータ３４と駆動連結している。歯車３２は、歯の遊びを減らすために歯高ｈと比べて大きい直径ｄを有している。
主軸２８、３０は、それぞれラジアル針状ころ軸受３６から３９に回転可能に支持されていて、それらの端面側にそれぞれ１つのスラスト針状ころ軸受４１、４２と、共通のスラスト針状ころ軸受４３を有している。スラスト針状ころ軸受４２は側壁１０内の軸受ブシュ４４に、軸方向に移動および回転できるように配置されている。スラスト針状ころ軸受４３は軸受部２９に、軸方向に移動および回転できるように支持されている。スラスト針状ころ軸受４１と軸受ブシュ４４の底部４６との間で軸心３１と共軸に配置された圧縮ばね４７が、製造に起因して軸受部に発生する主軸２８、３０の軸方向遊びを押し出す。
【００２１】
それぞれの主軸２８、３０上には、互いに隔たった２つのナット４８、４９が軸方向に可動に支持されている。各々のナット４８、４９は、支持アーム５０、５１を有している。支持アームは案内溝７と移動可能に係合しており、したがってナット４８、４９が回転するのを防ぐ。
【００２２】
ナット４８と４９の間で、スペーサスリーブ５３と、圧縮ばね５２の力で付勢されたブシュ５４が、軸方向に移動可能に支持されている。ブシュ５４とスペーサスリーブ５３との間隔ａにケーシング１６の突起部５６が係合し、ここで圧縮ばね５２の力で締め付けられる。スペーサスリーブ５３とブシュ５４による側方引き寄せ装置３の締め付けおよび案内は、それぞれ突起部５６の押圧面５７、５８によって行われる。主軸２８または３０と側方引き寄せ装置３のケーシング１６との接触は生じない。
【００２３】
駆動軸６１は、側壁５、１０内に駆動可能、かつ回転可能に支持されている。駆動軸６１は、側方引き寄せ装置３へのトルク伝達が行われる区域に、直径上で向き合って配置された２つのキー溝６２、６３を有する。これらのキー溝６２、６３には、それぞれ軸方向と半径方向の遊びをもったキー６４、６６が係合している。これらのキー６４、６６は、間隔をあけて共軸に駆動軸を包みこんでいるクランピングリング６７に固くねじ止めされている。
【００２４】
クランピングリング６７は、側方引き寄せ装置３の引張りローラの駆動手段と固く連結している。キー６４、６６は、それぞれキー溝の底部と側壁に遊びを設けて支持されているので、製造誤差、すなわちば駆動軸６１とその軸受または駆動手段などの回転精度は側方引き寄せ装置に影響せず、ほぼトルク以外の力は側方引き寄せ装置３に伝達されない。
【図面の簡単な説明】
【図１】  図１は、側方引き寄せ装置を横から見た断面図である。
【図２】  図２は、側方引き寄せ装置の平面図である。
【図３】  図３は、図２のＩＩＩ部の拡大図である。
【図４】  図４は、側方引き寄せ装置の駆動軸の横断面図である。
【符号の説明】
１  紙載せ板
２  前当て
３  側方引き寄せ装置
４、６  横梁
５  側壁（１５）
７  案内溝（６）
８  支持面
９  段差部
１０  側壁（１５）
１１  横桟
１２  案内溝（４）
１３、１４、２１  ローラ
１５  ケーシング（４、６）
１６  ケーシング（３）
１７、２３  ボルト
１８  レース（１３、１４）
１９  支持アーム
２２  レース（２１）
２４  湾曲部
２６  板ばね
２７  スリット
２８、３０  主軸
２９  共通軸受部
３１  共通軸心（２８、３０）
３２  歯車
３３  歯車装置
３４  駆動モータ
３６、３７、３８、３９  ラジアル針ころ軸受
４１、４２、４３  スラスト針ころ軸受
４４  軸受ブシュ
４６  底部（４４）
４７  圧縮ばね
４８、４９  ナット
５０、５１  支持アーム
５２  圧縮ばね
５３  スペーサスリーブ
５４  ブシュ
５６  突起部
５７、５８  押圧面
６１  駆動軸
６２、６３  キー溝
６４、６６  キー
６７  クランピングリング
ａ  間隔
ｄ  歯車直径
ｈ  歯高
【図１】
0003802593.tif 000002
【図２】
0003802593.tif 000003
【図３】
0003802593.tif 000004
【図４】
0003802593.tif 000005